【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
パンチ・アセンブリにおいて、
第１の端部と第２の端部を備えたパンチホルダ、
連結部と作用部を備えたパンチ・チップ、
前記パンチホルダに連結された少なくとも１つの保持・解放部材であって、前記少なくとも１つの保持・解放部材の夫々は、前記パンチ・チップの作用部が前記パンチホルダに対して固定された関係において前記第１の端部から長手軸線方向に延びるようにパンチ・チップの連結部に係合するように形成された保持部と、前記パンチ・チップの連結部から前記保持部を解放するための力を手の１本以上の指によって受けるように形成された作動接触面とを有する少なくとも１つの保持・解放部材、及び
第１の端部と第２の端部を備えたパンチガイド側壁であって、該パンチガイド側壁は側壁の前記第１の端部から側壁の第２の端部にかけて長手軸線方向に延びると共に前記パンチ・アセンブリの中央長手軸線周りにガイド孔を形成し、該ガイド孔は前記パンチホルダ、及び係合された前記パンチ・チップをスライド可能に係合するように形成され、前記側壁の第１の端部は、パンチングのために前記係合されたパンチ・チップが移動することになる前記ガイド孔の開口部の周辺の少なくとも一部分の周りに延び、前記側壁はその側壁を通じて延びる少なくとも１つの開口を備え、前記ガイド孔が前記パンチホルダにスライド可能に係合する際には、前記少なくとも１つの開口の夫々が、前記少なくとも１つの保持・解放部材の内の対応する１つの前記作動接触面と合致して前記作動接触面に力を付与するアクセスを提供するようなパンチガイド側壁、を有し、
前記少なくとも１つの保持・解放部材の各々の作動接触面は、前記パンチガイド側壁の前記少なくとも１つの開口の内の対応するものから外方に突出するか、又は、前記パンチガイド側壁の前記少なくとも１つの開口の中の対応開口内に凹んで形成されることを特徴とするパンチ・アセンブリ。
【請求項２】
前記保持部を前記パンチ・チップの連結部から引き離すために受ける力は、前記保持・解放部材の付勢力に対して作用することを特徴とする請求項１に記載のパンチ・アセンブリ。
【請求項３】
前記保持・解放部材の付勢力は、前記保持部を、前記パンチ・チップの連結部との係合に先立って第１の位置に保持し、
前記パンチ・チップの連結部はシャンクとフランジを備え、前記シャンクは前記パンチ・チップの作用部と前記フランジの下面との間に延設され、
前記保持・解放部材は更に、前記パンチ・チップが保持・解放部材による係合のために前記パンチホルダに接近した位置に移動された際には、前記パンチ・チップの連結端部のフランジにスライド接触するように配置されるカム面を備え、該カム面とフランジのその接触により前記保持部は第１の位置から移動することを特徴とする請求項２に記載のパンチ・アセンブリ。
【請求項４】
前記少なくとも１つの保持・解放部材は、前記パンチホルダに回転可能に連結されると共に前記保持部と前記作動接触面との間に延びるピボット軸を更に備え、前記保持部を引き離すために作動接触面によって受けられる力が前記ピボット軸を回転させることを特徴とする請求項１に記載のパンチ・アセンブリ。
【請求項５】
前記保持部を引き離すために前記作動接触面によって受けられる力は、前記パンチ・アセンブリの中央長手軸線に向かって内側に向けられることを特徴とする請求項４に記載のパンチ・アセンブリ。
【請求項６】
前記保持部を引き離すために前記作動接触面によって受けられる力は、前記パンチ・アセンブリの中央長手軸線から離れるように外側に向けられることを特徴とする請求項４に記載のパンチ・アセンブリ。
【請求項７】
前記パンチ・チップの連結部は、その内部に外側の周方向に延びる溝を形成するシャンクを備え、
前記少なくとも１つの保持・解放部材は更に、前記パンチホルダの外面周りに据え付けられかつ前記パンチ・アセンブリの中央長手軸線にほぼ平行な方向にスライドするように据え付けられたカラーを備え、
前記少なくとも１つの保持・解放部材の前記保持部は、その各々が前記パンチ・チップの前記連結部の溝に嵌まる大きさを持つ複数の球状部材と、各球状部材に接してそれらを前記溝内に保持する前記カラーの内方係合面とを有し、
前記少なくとも１つの保持・解放部材の前記作動接触面は、前記カラーの外面を有し、以て前記保持部を前記パンチ・チップの連結部から引き離す力がカラーをスライドさせ、カラーの前記内方係合面を前記少なくとも１つの球状部材と接触しないように移動させ、前記力は、前記パンチ・アセンブリの前記中央長手軸線に略平行に指向することを特徴とする請求項１に記載のパンチ・アセンブリ。
【請求項８】
前記少なくとも１つの保持・解放部材は更に、前記カラーに形成された内方凹部を備え、該内方凹部は、前記力がカラーをスライドさせて内面の第１の部分を前記少なくとも１つの球状部材と接触しないように移動させる際に前記少なくとも１つの球状部材を受容することを特徴とする請求項７に記載のパンチ・アセンブリ。
【請求項９】
前記パンチ・チップの連結部は、その内部に外側の周方向に延びる溝を形成するシャンクを備え、
前記少なくとも１つの保持・解放部材は更に、前記パンチホルダの外面周りに据え付けられかつ前記パンチホルダに対してパンチ・アセンブリの中央長手軸線周りに回転するように据え付けられたカラーを備え、該カラーはその内面に複数の内向き凹部が形成され、
前記少なくとも１つの保持・解放部材の前記保持部は、その各々が前記パンチ・チップの前記連結部の溝と前記カラーの前記複数の内向き凹部の各々とに嵌まる大きさを持つ複数の球状部材を有し、
前記少なくとも１つの保持・解放部材の前記作動接触面は、前記カラーの外面を有し、以て前記保持部を前記パンチ・チップの連結部から引き離す力がカラーを回転させ、
前記複数の球状部材の各々が前記パンチ・チップの連結部から出て、前記カラーの対応する内向き凹部に移動できるように、前記複数の内向き凹部の各々を前記複数の球状部材の対応する球状部材に並ばせ、前記力は、前記パンチ・アセンブリの前記中央長手軸線周りで周方向に指向することを特徴とする請求項１に記載のパンチ・アセンブリ。
【請求項１０】
前記少なくとも１つの保持・解放部材は複数の保持・解放部材からなり、パンチガイド側壁の前記少なくとも１つの開口はこれに対応した複数の開口からなることを特徴とする請求項１に記載のパンチ・アセンブリ。
【請求項１１】
前記パンチホルダは、長手方向に延びる孔であって、パンチホルダの前記第１の端部に開口部を配置する孔を更に備え、
前記パンチ・チップの連結部は、パンチホルダの前記第１の端部に係合する際に前記孔の中に延び、更に
前記保持・解放部材はパンチホルダの側壁を介して前記孔の中に延び、孔内でパンチ・チップの連結部を係合させ、
前記パンチ・チップは更に別の作用部を備え、前記別の作用部は、前記保持・解放部材の保持部がパンチ・チップの連結部に係合する際には前記パンチホルダの前記孔の中に位置するように連結部に対し位置決めされていることを特徴とする請求項１に記載のパンチ・アセンブリ。
【請求項１２】
更に、周方向に延びる第１の端面、周方向に延びる第２の端面、内面、及び周方向に延びる第１及び第２の嵌合機構を有しかつ、該第１及び第２の嵌合機構は長手方向互いから離れた状態で前記内面に形成されるようなストリッパ・プレート保持クリップを有し、
前記パンチガイド側壁は更に、中央の長手軸線に沿ってパンチガイド側壁の第１の端部から凹んで形成された外面と、前記外面に形成された周方向に延びる係合機構とを備え、
パンチガイド側壁の前記外面は、第１の端部と第２の端部を備えると共にパンチガイド側壁の外周の一部分周りで前記第１の端部から第２の端部へと延び、かつパンチ・アセンブリの中央長手軸線から外側に面し、
前記ストリッパ・プレート保持クリップの第１の嵌合機構は、前記パンチガイド側壁の外面の係合機構に係合する大きさに形成され、
前記ストリッパ・プレート保持クリップの前記第１の端面と第２の端面との間で定義される前記ストリッパ・プレート保持クリップの厚みは、前記ストリッパ・プレート保持クリップの前記第１の嵌合機構がパンチガイド側壁の係合機構と係合した際に、前記ストリッパ・プレート保持クリップの第１の端面がパンチガイド側壁の第１の端部とほぼ同一平面上に位置するような厚みになっており、更に
前記ストリッパ・プレート保持クリップの第２の嵌合機構は、前記ストリッパ・プレート保持クリップの第１の嵌合機構がパンチガイド側壁の係合機構と係合した際にはストリッパ・プレートの係合機構の中で係合し、それによりパンチガイド側壁の第１の端部近傍において前記ガイド孔の開口部内にストリッパ・プレートを保持するような大きさを有し、かつ前記第１の嵌合機構に対して位置決めされることを特徴とする請求項１に記載のパンチ・アセンブリ。
【請求項１３】
前記パンチホルダは更に、その第１の端部とは反対側に位置してネジ面を有する第２の端部を備え、更に、
パンチホルダの前記ネジ面に噛み合うためのネジ面を備えたパンチドライバであって、パンチホルダが前記ガイド孔内でスライド可能に係合し、そのネジ面がパンチドライバのネジ面に噛み合う時、パンチホルダに対するパンチドライバの回転によりパンチホルダをパンチ・アセンブリの中央長手軸線に沿って移動させるような前記パンチドライバ、及び
パンチドライバの前記ネジ面がパンチホルダの前記ネジ面に噛み合う時、前記パンチホルダと前記パンチドライバに係合する解放可能なロック部材であって、ロック位置と非ロック位置との間を移動可能であり、前記ロック位置ではパンチホルダに対するパンチドライバの回転が防止され、前記非ロック位置ではパンチホルダに対するパンチドライバの回転が可能となるような前記解放可能なロック部材、を有することを特徴とする請求項１に記載のパンチ・アセンブリ。
【請求項１４】
前記少なくとも１つの保持・解放部材の各々は更にロック機構を備え、該ロック機構は、仮に他の力が前記ロック機構に付与されない限り、力によって前記パンチ・チップの保持部が連結部から切り離されるのを回避することを特徴とする請求項１に記載のパンチ・アセンブリ。
【請求項１５】
前記少なくとも１つの保持・解放部材の各々の前記作動接触面で受ける力は、パンチ・アセンブリの中央長手軸線に向かって内方を向き、
前記少なくとも１つの保持・解放部材の各々の前記ロック機構に付与されるその他の力は、作動接触面が受ける力の方向に略直交する方向であることを特徴とする請求項１４に記載のパンチ・アセンブリ。